(57)【要約】      （修正有）【課題】構成がシンプルであり、軽量であって肌に触れる面積が少なく、楽に呼吸ができ、ランニング等の運動によってもずれ落ちることのないフェイスマスクを提供する。【解決手段】フェイスマスク１は、長方形の布の上部袋綴じ部６ａを袋状に縫い合わせて頭部を包み込む筒部２を形成し、筒部２の両端の上部開口部３ａ、下部開口部３ｂにそれぞれ上部縫い目７ａ、下部縫い目７ｂを設け、片方の上部縫い目７ａにゴム紐８を貫通させ、ゴム紐８の両端を束ねてストッパ９が付いた固定具により結び合わせる。【選択図】図１
0003229761.tif 000002
【実用新案登録請求の範囲】
【請求項１】
長方形の布の対向する一辺を縫い合わせて装着者の頭部を包み込む筒部を形成し、前記筒部の両端に形成された開口部にそれぞれ袋綴じ部を設け、片方の前記袋綴じ部にゴム紐を貫通させ、前記ゴム紐の両端を束ねてストッパ付き固定具を通して結び合わせることを特徴とするフェイスマスク。
【請求項２】
請求項１に記載のフェイスマスクであって、前記固定具は、ストッパと、スプリングと、スプリング収納本体とから構成され、前記ストッパは、先端に設けられた底プレートがスプリングを介してスプリング収納本体に接続し、ストッパを押し込むと前記スプリングが連動して収縮することを特徴とするフェイスマスク。
【請求項３】
請求項１又は２に記載のフェイスマスクであって、スプリング収納本体には、前記ゴム紐が貫通する貫通口が設けられ、ストッパを押し込むと前記ゴム紐が開放され、前記ストッパを離すと前記ゴム紐が前記スプリング収納本体により抑え付けられることを特徴とするフェイスマスク。
【請求項４】
請求項３に記載のフェイスマスクであって、固定具は、前記ストッパを押し込むとスプリングが収縮することで前記ゴム紐が貫通する孔が開放され、前記ストッパを離すと前記スプリングが元の位置に復元して前記ゴム紐を押し上げて固定することを特徴とするフェイスマスク。
【請求項５】
請求項１に記載のフェイスマスクであって、前記装着者は、前記フェイスマスクの前記開口部の大きさと、前記開口部に挿入する前記装着者の頭の大きさと、を比較して適切なサイズを選択することを特徴とするフェイスマスク。
【請求項６】
請求項１乃至５の何れか１項に記載のフェイスマスクの装着方法であって、
頭の大きさに合うサイズを選択するステップと、
前記頭から被って顔面に装着するステップと、
前記固定具のストッパを押し込んで前記ゴム紐の長さを調節するステップと、
前記固定具の前記ストッパを離して前記ゴム紐を所望の長さに固定するステップと、
からなることを特徴とするフェイスマスク。
【考案の詳細な説明】
【技術分野】
【０００１】
本考案は、フェイスマスク及びフェイスマスクの装着方法に係り、特に、屋外を散歩する際、又は、屋外でジョギング等の運動を行う際に、顔面に取り付けるフェイスマスク及びそのフェイスマスクの装着方法に関する。
【背景技術】
【０００２】
屋外を散歩する際、又は、屋外でジョギング等の運動を行う際に顔面に装着するフェイスマスクは、ウイルスや雑菌が口や鼻から飛沫感染するのを防止する一般的な医療用のマスクとはマスク装着の目的が異なる。本フェイスマスクを装着する目的は、屋外での快適な運動による健康増進、美容、ストレス発散等である。
【０００３】
また、フェイスマスクを装着する目的には、これらの健康増進、美容、ストレス発散だけではない。冬季においては顔面の防風や防寒対策やスキー場等での雪焼け防止等の効果があり、夏季においては工事現場等での発汗防止や熱中症対策、プールでの日焼け防止等の効果がある。また、衛生面では、車両からの排気ガスの遮断、異臭に対する防臭、光化学スモッグ等の大気汚染防止等の様々な効果がある。
【先行技術文献】
【非特許文献】
【０００４】
【非特許文献１】実用新案登録第３２０７５６７号公報
【考案の概要】
【考案が解決しようとする課題】
【０００５】
ジョギング等の運動を行う際に使用するフェイスマスクは、通気性があることが重要である。すなわち、通常のマスク使用時と異なり、運動をする際には平常時以上に呼吸により酸素を十分に体内に取り込める機能が要求される。従って、フェイスマスクと顔面との間には、密着せずに空気を貯める空間が要求されるという課題がある。
【０００６】
ジョギング等の運動をする際に使用するフェイスマスクは、軽量でなければならないという課題がある。すなわち、フェイスマスクの重量がジョギング等の運動に対して過度の負荷とならないことが課題となる。
【０００７】
ジョギング等の際に使用するフェイスマスクは、肌に触れる面積が少ないことが課題となる。すなわち、口や鼻回りの皮膚に触れる面積が多いと呼吸が妨げられて息苦しさを感じる。また、夏季には息苦しさに加えて暑苦しさを感じる。従って、顔面に密着させずに風通しを良くさせることが課題となる。
【０００８】
ジョギング等の際に使用するフェイスマスクは、ランニング等の運動によってもずれ落ちないという課題がある。すなわち、ランニング等の運動により、フェイスマスクを装着する装着者の身体が揺れ、フェイスマスク自体が顔面からずれ落ちるとその度にフェイスマスクの位置を正さねばならない。これは、フェイスマスクの装着者にとってはストレスとなるという課題がある。
【０００９】
本願の目的は、かかる課題を解決し、構成がシンプルであり、軽量であって肌に触れる面積が少なく、呼吸を妨げることなく、ランニング等の運動によってもずれ落ちることのないフェイスマスク及びフェイスマスクの装着方法を提供することである。
【課題を解決するための手段】
【００１０】
上記目的を達成するため、本考案に係るフェイスマスクは、長方形の布の対向する一辺を縫い合わせて装着者の頭部を包み込む筒部を形成し、筒部の両端に形成された開口部にそれぞれ袋綴じ部を設け、片方の袋綴じ部にゴム紐を貫通させ、ゴム紐の両端を束ねてストッパ付き固定具を通して結び合わせることを特徴とする。
【００１１】
上記構成により、本考案に係るフェイスマスクは、長方形の布というシンプルな素材から簡易な縫製により製作できる。このため、素材にプリントされた色彩や模様を自由に用いることができ、フェイスマスクの選択肢も広がる。また、長方形の布の一辺を袋状に縫い合わせて頭部を包み込む筒を形成することで使用できるため、装着者は、筒状の布に頭部が挿入できることを確認するだけで使用可能となる。また、ゴム紐を折返し部に貫通させ、ゴム紐の両端を束ねてストッパ付き固定具により結び合わせることで、フェイスマスクを顔面に固定できる。
【００１２】
また、フェイスマスクは、固定具が、ストッパと、スプリングと、スプリング収納本体とから構成され、ストッパが、先端に設けられた底プレートがスプリングを介してスプリング収納本体に接続し、ストッパを押し込むとスプリングが連動して収縮することが好ましい。これにより、フェイスマスクは、長方形の布というシンプルな素材から簡易な縫製により簡易に製作することができる。
【００１３】
また、フェイスマスクは、スプリング収納本体には、ゴム紐が貫通する貫通口が設けられ、ストッパを押し込むとゴム紐が開放され、ストッパを離すとゴム紐がスプリング収納本体により抑え付けられることが好ましい。これにより、フェイスマスクは、ゴム紐の調節により顔面からずれ落ちずに使用できる。
【００１４】
また、フェイスマスクは、固定具がストッパを押し込むとスプリングが収縮することでゴム紐が貫通する孔が開放され、ストッパを離すとスプリングが元の位置に復元してゴム紐を押し上げて固定することが好ましい。これにより、フェイスマスクは、ゴム紐の開放又は固定により顔面からずれ落ちずに使用することができる。
できる。
【００１５】
また、フェイスマスクは、装着者がフェイスマスクの開口部の大きさと、開口部に挿入する装着者の頭の大きさとを比較して適切なサイズを選択し、固定具により調整することが好ましい。装着者は、頭のサイズにより、例えばＬサイズ、Ｍサイズなどを選択し、固定具による締付けの際に微調整できる。
【００１６】
さらに、フェイスマスクは、頭の大きさに合うサイズを選択するステップと、頭から被って顔面に装着するステップと、固定具のストッパを押し込んでゴム紐の長さを調節するステップと、固定具のストッパを離してゴム紐を所望の長さに固定するステップとからなることが好ましい。これにより、フェイスマスクは、長方形の布というシンプルな素材から簡易な縫製により製作できる。このため、素材にプリントされた色彩や模様を自由に用いることができ、フェイスマスクの選択肢も広がる。また、長方形の布の一辺を袋状に縫い合わせて頭部を包み込む筒を形成することで使用できるため、装着者は、筒状の布に頭部が挿入できることを確認するだけで使用可能となる。また、ゴム紐を折返し部に貫通させ、ゴム紐の両端を束ねてストッパ付き固定具により結び合わせることで、フェイスマスクを顔面に固定できる。
【考案の効果】
【００１７】
以上のように、本考案に係るフェイスマスク及びフェイスマスクの装着方法によれば、構成がシンプルであり、軽量であって肌に触れる面積が少なく、呼吸を妨げることなく、ランニング等の運動によってもずれ落ちることのないフェイスマスク、及び、フェイスマスクの装着方法を提供できる。
【図面の簡単な説明】
【００１８】
【図１】本考案に係るフェイスマスクの一つの実施形態の概略構成を示す斜視図である。
【図２】フェイスマスクのゴム紐を固定又は開放する機構を示す断面図及び側面図である。
【図３】装着者がフェイスマスクを装着した際の使用方法を示す説明図である。
【考案を実施するための形態】
【００１９】
（フェイスマスクの構成）
以下に、図面を用いて本考案に係るフェイスマスク１、及び、このフェイスマスク１の装着方法につき、詳細に説明する。図１に、フェイスマスク１の一つの実施形態の概略構成を斜視図で示す。図２に、フェイスマスク１のゴム紐８の固定又は開放を行う固定具１０の機構を示す断面図及び側面図を示す。図３に、フェイスマスク１の具体的な装着方法を示す説明図である。ここで、「ゴム紐８の固定又は開放」とは、ゴム紐８が緩むのを阻止することを「ゴム紐８を固定する」と称し、ゴム紐８が緩むようにすることを「ゴム紐８を開放する」と称する。
【００２０】
図１に示すように、フェイスマスク１は、長方形の布の両方の長辺を接続した筒部２、上部開口部３ａ、及び下部開口部３ｂから構成される。なお、筒部２には、図１に示すように短辺方向５ａと長辺方向５ｂとが定義される。また、一般販売用商品の場合には、フェイスマスク１の筒部２の上部にフェイスマスク１のロゴマーク２３（登録商標）がプリントされる。一方、オーダ商品の場合には、注文により購入者の所望の位置にプリントされる場合がある。
【００２１】
フェイスマスク１の筒部２は、長方形の布の長辺の両端を縦方向縫い目７ｃにより縫製して製作される。又は、長方形の布の一辺の両端を縦縫い目７ｃにより縫製して製作される。また、長方形の布の一端は、上部縫い目７ａにより上部袋綴じ部６ａが形成される。さらに、長方形の布の他端は、下部縫い目７ｂにより下部袋綴じ部６ｂが形成される。そして、上部開口部３ａ及び下部開口部３ｂが形成される。ここで、「上部」又は「下部」とは、フェイスマスク１のストッパがついている側を「上部」とし、反対側を「下部」とする。これにより、上部開口部３ａ及び下部開口部３ｂが定義される。
【００２２】
上部袋綴じ部６ａにはゴム紐８が通され、上部袋綴じ部６ａを貫通したゴム紐８の両端部は、上部袋綴じ部６ａの端部開口２２ａ、２２ｂから引き出されて一つに纏められる。そして、上部開口部３ａが形成される。一方、本実施形態では、下部袋綴じ部６ｂにはゴム紐８は通されないため、下部開口部３ｂは常に開放されている。なお、下部袋綴じ部６ｂにゴム紐８を貫通させ、ゴム紐８の両端部を一つに纏めて固定しても良い。これは、ジョギング等の運動をしていない際に、フェイスマスク１の下端部を閉じることで、花粉、ウイルス、スモッグ等の侵入を防ぐ場合に活用できる。下部縫い目７ｂと縦方向縫い目７ｃとは十字の交差部を形成するが、上部縫い目７ａと縦方向縫い目７ｃとは、Ｔ字の交差部を形成する。なお、本実施形態における縦方向縫い目７ｃ、上部縫い目７ａ及び下部縫い目７ｂの縫製方法の種類は、特に指定はなく如何なる種類であっても良い。
【００２３】
このように、フェイスマスク１は、長方形の布を筒状にして縦方向縫い目７ｃを設け、上部袋綴じ部６ａと下部袋綴じ部６ｂとを設けることで簡易に作成できる。このように、フェイスマスク１は、簡易な形状から構成されるため、簡単な縫製により安価に製作できる。例えば、フェイスマスク１の装着者が、好み図柄を業者に指定してオリジナルのフェイスマスク１を製作することもできる。また、フェイスマスク１は、短辺方向５ａ及び長辺方向５ｂ共に広い範囲にプリント生地等により比較的自由自在に図柄や色彩を選択することが可能でありデザインの自由度が高い。
【００２４】
さらに、フェイスマスク１は、本実施形態に限らず、例えば、通気性をよくするためにフェイスマスク１の生地をメッシュ生地とした他の実施形態や、生地の一部に切り込みを入れた他の実施形態等であっても良い。
【００２５】
（ストッパの構成）
図２に、フェイスマスク１のゴム紐８を固定又は開放するストッパ９の機構を断面図及び側面図で示す。図２（ａ）は、ストッパ９を断面図で示し、図２（ｂ）及び図２（ｂ´）は、図２（ａ）のＡ−Ａ断面でみた側面図を示す。図２（ｂ）は、ストッパ９を開放することでゴム紐８を固定している状態を示し、図２（ｂ´）は、ストッパ９を押し下げることでゴム紐８を開放している状態を示す。
【００２６】
フェイスマスク１は、ゴム紐８を固定又は開放する固定具１０が、底プレート１３を有するストッパ９と、底プレート１３とスプリング収納本体１２とを接続するスプリング１１と、ゴム紐８が貫通するスプリング収納本体１２とから構成される。図２（ｂ）及び図２（ｂ´）に示すように、スプリング収納本体１２は、内部にスプリング１１を収納するＵ字状の部品であり、側面にゴム紐８を貫通させるストッパ開口２４をスプリング収納本体１２の対向する両面に備えている。ストッパ９が、先端に設けられた底プレート１３がスプリング１１を介してスプリング収納本体１２に接続し、ストッパ９を押し込むとスプリング１１が連動して収縮する。
【００２７】
図２(ｂ)に示すように、装着者がストッパ９を離して開放している際には、スプリング１１は、伸びた状態であり、ゴム紐８は、ストッパ９の底プレート１３とストッパ開口２４とに挟まれて固定される。一方、図２(ｂ´)に示すように、装着者がストッパ９を押して固定している際には、スプリング１１は縮んだ状態であり、ゴム紐８はストッパ９の底プレート１３とストッパ開口２４とから解放されて自在に動くことができる。
【００２８】
フェイスマスク１は、固定具１０がストッパ９を押すとスプリング１１が収縮することでゴム紐８を貫通可能に開放し、ストッパ９を離すとスプリング１１によりゴム紐８を押し上げて固定することができる。装着者は、この固定具１０の構成を利用してフェイスマスク１を頭に被って顔面に固定することができる。そして、ジョギング等により身体が上下に揺れてもフェイスマスク１がずれることもなく、顔面にフィットした状態を継続することができる。
【００２９】
(フェイスマスクの使用方法)
図３に、装着者がフェイスマスク１を装着する際の使用方法を示す。ランニング等の運動の際に装着するフェイスマスク１の使用方法は、下記のステップから構成される。ます、装着者の頭の大きさに合うサイズを選択する（ステップ１）。これは、フェイスマスク１の固定具１０のゴム紐８を開放して実際に被ることで容易に判別できる。次に、頭から被って顔面に装着する（ステップ２）。その際に、固定具１０のゴム紐８を開放しながらフェイスマスク１を頭から被る。固定具１０のストッパ９を押し込んでゴム紐８の長さを調節する（ステップ３）。そして、固定具１０のストッパ９を離してゴム紐８を所望の長さに固定する（ステップ４）。なお、装着者は、装着したフェイスマスク１は、ランニング等の終了後に固定具１０のストッパ９を離してゴム紐８を弛めて取り外すことができる。
【００３０】
以上の実施形態で説明されたフェイスマスク１及びフェイスマスクの装着方法の構成、形状、大きさ、及び、配置関係については、本考案が理解、実施できる程度に概略的に示したものにすぎない。従って、本考案は、説明された実施形態に限定されるものではなく、実用新案請求の範囲に示される技術的思想の範囲を逸脱しない限り様々な形態に変更することができる。
【符号の説明】
【００３１】
１  フェイスマスク、２  筒部、３ａ  上部開口部、３ｂ  下部開口部、４    (装着者の)頭部、５ａ  短辺方向，５ｂ  長辺方向、６ａ  上部袋綴じ部，６ｂ  下部袋綴じ部、７ａ  上部縫い目，７ｂ  下部縫い目，７ｃ  縦方向縫い目、８  ゴム紐、９  ストッパ、１０  固定具、１１  スプリング、１２  スプリング収納本体、１３  底プレート、２０  締付け部、２２ａ，２２ｂ  端部開口、２３  ロゴマーク、２４  ストッパ開口。
【図１】
0003229761.tif 000003
【図２】
0003229761.tif 000004
【図３】
0003229761.tif 000005
【手続補正書】
【提出日】令和2年9月30日(2020.9.30)
【手続補正１】
【補正対象書類名】実用新案登録請求の範囲
【補正対象項目名】全文
【補正方法】変更
【補正の内容】
【実用新案登録請求の範囲】
【請求項１】
長方形の布の対向する一辺を縫い合わせて装着者の頭部を包み込む筒部を形成し、前記筒部の両端に形成された開口部にそれぞれ袋綴じ部を設け、片方の前記袋綴じ部にゴム紐を貫通させ、前記ゴム紐の両端を束ねてストッパ付き固定具を通して結び合わせることを特徴とするフェイスマスク。
【請求項２】
請求項１に記載のフェイスマスクであって、前記固定具は、ストッパと、スプリングと、スプリング収納本体とから構成され、前記ストッパは、先端に設けられた底プレートがスプリングを介してスプリング収納本体に接続し、ストッパを押し込むと前記スプリングが連動して収縮することを特徴とするフェイスマスク。
【請求項３】
請求項１又は２に記載のフェイスマスクであって、スプリング収納本体には、前記ゴム紐が貫通する貫通口が設けられ、ストッパを押し込むと前記ゴム紐が開放され、前記ストッパを離すと前記ゴム紐が前記スプリング収納本体により抑え付けられることを特徴とするフェイスマスク。
【請求項４】
請求項３に記載のフェイスマスクであって、固定具は、前記ストッパを押し込むとスプリングが収縮することで前記ゴム紐が貫通する孔が開放され、前記ストッパを離すと前記スプリングが元の位置に復元して前記ゴム紐を押し上げて固定することを特徴とするフェイスマスク。
【請求項５】
請求項１に記載のフェイスマスクであって、前記装着者は、前記フェイスマスクの前記開口部の大きさと、前記開口部に挿入する前記装着者の頭の大きさと、を比較して適切なサイズを選択することを特徴とするフェイスマスク。